(57)【要約】      （修正有）【課題】補聴器ユーザガイドを提供するための方法および装置を提供する。【解決手段】通信インターフェース４、４’、４’’と、通信インターフェースに接続された処理ユニット６とを備える。処理ユニットは、通信インターフェースを介して補聴器の少なくとも１つの補聴器設定１０、１０’を取得し、少なくとも１つの補聴器設定に基づいてユーザガイドを構成し、ユーザガイド１２を提供するように構成される。【選択図】図１
2016052129.tif 000002
【特許請求の範囲】
【請求項１】
補聴器ユーザガイドを提供するための装置であって、
通信インターフェースと、
前記通信インターフェースに接続された処理ユニットとを備え、前記処理ユニットが、
前記通信インターフェースを介して補聴器の少なくとも１つの補聴器設定を取得し、
前記少なくとも１つの補聴器設定に基づいてユーザガイドを構成し、
前記ユーザガイドを提供する、
ように構成される、装置。
【請求項２】
前記装置は、携帯端末および補聴器フィッティング装置からなる群より選択される、請求項１に記載の装置。
【請求項３】
前記通信インターフェースは、ネットワークインターフェースカード、Ｗｉ−Ｆｉ送受信機、Ｂｌｕｅｔｏｏｔｈ送受信機、またはＢｌｕｅｔｏｏｔｈ  Ｌａｗ  Ｅｎｅｒｇｙ送受信機を備える、請求項１に記載の装置。
【請求項４】
前記装置は、補聴器フィッティング装置であり、前記処理ユニットは、前記通信インターフェースを介して携帯端末に前記ユーザガイドを送信することにより前記ユーザガイドを提供するように構成される、請求項１に記載の装置。
【請求項５】
前記装置は、携帯端末であり、前記処理ユニットは、前記装置のメモリに前記ユーザガイドを格納することにより前記ユーザガイドを提供するように構成される、請求項１に記載の装置。
【請求項６】
前記装置は、携帯端末であり、前記通信インターフェースは、ディスプレイを備え、前記携帯端末は、前記ディスプレイに前記ユーザガイドを提示するように構成される、請求項１に記載の装置。
【請求項７】
前記少なくとも１つの補聴器設定は、補聴器モデルを示す第１の補聴器設定を含む、請求項１に記載の装置。
【請求項８】
前記処理ユニットは、前記第１の補聴器設定が第１の補聴器モデルを示す場合に、前記ユーザガイドに第１の補聴器の写真を含め、前記第１の補聴器設定が第２の補聴器モデルを示す場合に、前記ユーザガイドに第２の補聴器の写真を含め、それにより前記ユーザガイドを構成するように構成される、請求項７に記載の装置。
【請求項９】
前記少なくとも１つの補聴器設定は、前記補聴器の第１のモードが使用可能であるかまたは使用不能であるかを示す第１のモードインジケータを含む１つまたは複数のモードインジケータを含む、請求項１に記載の装置。
【請求項１０】
前記処理ユニットは、前記第１のモードインジケータが前記第１のモードが使用可能であることを示す場合に、前記ユーザガイドに前記第１のモード用のユーザガイド部分を含め、それにより前記ユーザガイドを構成するように構成される、請求項９に記載の装置。
【請求項１１】
前記処理ユニットは、前記第１のモードインジケータが前記第１のモードが使用不能であることを示す場合に、前記ユーザガイドから前記第１のモード用のユーザガイド部分を除外し、それにより前記ユーザガイドを構成するように構成される、請求項９に記載の装置。
【請求項１２】
前記少なくとも１つの補聴器設定は、第１の付属装置が使用可能であるかまたは使用不能であるかを示す第１の付属装置インジケータを含む１つまたは複数の付属装置インジケータを含む、請求項１に記載の装置。
【請求項１３】
前記処理ユニットは、前記第１の付属装置インジケータが前記第１の付属装置が使用可能であることを示す場合に、前記ユーザガイドに前記第１の付属装置用のユーザガイド部分を含めるように構成される、請求項１２に記載の装置。
【請求項１４】
前記処理ユニットは、前記第１の付属装置インジケータが前記第１の付属装置が使用不能であることを示す場合に、前記ユーザガイドから前記第１の付属装置用のユーザガイド部分を除外するように構成される、請求項１２に記載の装置。
【請求項１５】
前記少なくとも１つの補聴器設定は、前記補聴器の補聴器ユーザインターフェースの機能を示すユーザインターフェースインジケータを含む、請求項１に記載の装置。
【請求項１６】
前記処理ユニットは、前記ユーザインターフェースインジケータが前記補聴器ユーザインターフェースの第１の機能を示す場合に、前記ユーザガイドに第１の機能の第１の説明を含め、前記ユーザインターフェースインジケータが前記補聴器ユーザインターフェースの第２の機能を示す場合に、前記ユーザガイドに第２の機能の第２の説明を含め、それにより前記ユーザガイドを構成するように構成される、請求項１５に記載の装置。
【請求項１７】
前記少なくとも１つの補聴器設定は、バッテリ情報を含み、前記処理ユニットは、前記バッテリ情報に基づいて前記ユーザガイドを構成するように構成される、請求項１に記載の装置。
【請求項１８】
補聴器用のユーザガイドを構成するための方法であって、
通信インターフェースを介して装置によって少なくとも１つの補聴器設定を取得することと、
前記少なくとも１つの補聴器設定に基づいて前記装置によってユーザガイドを構成することと、
前記ユーザガイドを提供することと、
を含む、方法。
【発明の詳細な説明】
【技術分野】
【０００１】
本開示は、通信インターフェースおよび通信インターフェースに接続された処理ユニットを備える装置、特に補聴器ユーザガイドを提供するためのフィッティング装置または携帯端末と、補聴器ユーザガイドを構成するための方法とに関する。
【背景技術】
【０００２】
補聴器は、機能および特徴に関して進歩および複雑化がますます進んでおり、その結果として、補聴器ユーザガイドは、ユーザを混乱させ得るまたは補聴装置の意図されない使用をもたらし得る余分な情報を含んだ多量かつ煩雑なものとなっている。さらに、補聴器のある機能または特徴が、サポートされないまたは使用可能でない場合があり、個々の補聴器が、そのフィッティングに応じて異なる機能を有する場合がある。
【発明の概要】
【発明が解決しようとする課題】
【０００３】
補聴器ユーザガイドを改良するための装置および方法が必要とされている。
【課題を解決するための手段】
【０００４】
補聴器ユーザガイドを提供するための装置が開示される。この装置は、通信インターフェースと、通信インターフェースに接続された処理ユニットを備える。処理ユニットは、通信インターフェースを介して補聴器の少なくとも１つの補聴器設定を取得し、少なくとも１つの補聴器設定に基づいてユーザガイドを構成し、ユーザガイドを提供するように構成される。
【０００５】
また、補聴器用のユーザガイドを構成するための方法が開示される。この方法は、少なくとも１つの補聴器設定を取得することと、少なくとも１つの補聴器設定に基づいてユーザガイドを構成することと、ユーザガイドを提供することとを含む。
【０００６】
本開示の利点は、メモリリソースの最適利用を伴う補聴器ユーザガイドを提供することである。さらに、補聴器の特定のユーザにとって必要な情報のみを含むことにより改良された補聴器ユーザガイドが提供されることである。
【０００７】
本開示は、特定のユーザおよびそのユーザの補聴器に合わせられた補聴器ユーザガイドを提供する。この補聴器ユーザガイドは、特定のユーザに関連する情報のみが提供されることによって、ユーザ体験の改良をもたらす。また、ユーザガイド中の情報量を最適化することが必要であり、本開示は、データ送信能力の有効利用を可能にする。さらに、本開示の装置および方法は、不要な情報を削減または無くすことで改良されたユーザガイドを提供することにより、カスタマーサービスまたは補聴器ディスペンサへのユーザからの問い合わせ回数を減少させる。
【０００８】
補聴器ユーザガイドを提供するための装置は、通信インターフェースと、通信インターフェースに接続された処理ユニットとを備える。処理ユニットは、通信インターフェースを介して補聴器の少なくとも１つの補聴器設定を取得し、少なくとも１つの補聴器設定に基づいてユーザガイドを構成し、ユーザガイドを提供するように構成される。
【０００９】
任意には、装置は、携帯端末および補聴器フィッティング装置からなる群より選択される。
【００１０】
任意には、通信インターフェースは、ネットワークインターフェースカード、Ｗｉ−Ｆｉ送受信機、Ｂｌｕｅｔｏｏｔｈ（登録商標）送受信機、またはＢｌｕｅｔｏｏｔｈ  Ｌａｗ  Ｅｎｅｒｇｙ送受信機を備える。
【００１１】
任意には、装置は、補聴器フィッティング装置であり、処理ユニットは、通信インターフェースを介して携帯端末にユーザガイドを送信することによりユーザガイドを提供するように構成される。
【００１２】
任意には、装置は、携帯端末であり、処理ユニットは、装置のメモリにユーザガイドを格納することによりユーザガイドを提供するように構成される。
【００１３】
任意には、装置は、携帯端末であり、通信インターフェースは、ディスプレイを備え、携帯端末は、ディスプレイにユーザガイドを提示するように構成される。
【００１４】
任意には、少なくとも１つの補聴器設定は、補聴器モデルを示す第１の補聴器設定を含む。
【００１５】
任意には、処理ユニットは、第１の補聴器設定が第１の補聴器モデルを示す場合に、ユーザガイドに第１の補聴器の写真を含め、第１の補聴器設定が第２の補聴器モデルを示す場合に、ユーザガイドに第２の補聴器の写真を含め、それによりユーザガイドを構成するように構成される。
【００１６】
任意には、少なくとも１つの補聴器設定は、補聴器の第１のモードが使用可能であるかまたは使用不能であるかを示す第１のモードインジケータを含む１つまたは複数のモードインジケータを含む。
【００１７】
任意には、処理ユニットは、第１のモードインジケータが第１のモードが使用可能であることを示す場合に、ユーザガイドに第１のモード用のユーザガイド部分を含め、それによりユーザガイドを構成するように構成される。
【００１８】
任意には、処理ユニットは、第１のモードインジケータが第１のモードが使用不能であることを示す場合に、ユーザガイドから第１のモード用のユーザガイド部分を除外し、それによりユーザガイドを構成するように構成される。
【００１９】
任意には、少なくとも１つの補聴器設定は、第１の付属装置が使用可能であるかまたは使用不能であるかを示す第１の付属装置インジケータを含む１つまたは複数の付属装置インジケータを含む。
【００２０】
任意には、処理ユニットは、第１の付属装置インジケータが第１の付属装置が使用可能であることを示す場合に、ユーザガイドに第１の付属装置用のユーザガイド部分を含めるように構成される。
【００２１】
任意には、処理ユニットは、第１の付属装置インジケータが第１の付属装置が使用不能であることを示す場合に、ユーザガイドから第１の付属装置用のユーザガイド部分を除外するように構成される。
【００２２】
任意には、少なくとも１つの補聴器設定は、補聴器の補聴器ユーザインターフェースの機能を示すユーザインターフェースインジケータを含む。
【００２３】
任意には、処理ユニットは、ユーザインターフェースインジケータが補聴器ユーザインターフェースの第１の機能を示す場合に、ユーザガイドに第１の機能の第１の説明を含め、ユーザインターフェースインジケータが補聴器ユーザインターフェースの第２の機能を示す場合に、ユーザガイドに第２の機能の第２の説明を含め、それによりユーザガイドを構成するように構成される。
【００２４】
任意には、少なくとも１つの補聴器設定は、バッテリ情報を含み、処理ユニットは、バッテリ情報に基づいてユーザガイドを構成するように構成される。
【００２５】
補聴器用のユーザガイドを構成するための方法は、通信インターフェースを介して装置によって少なくとも１つの補聴器設定を取得することと、少なくとも１つの補聴器設定に基づいて装置によってユーザガイドを構成することと、ユーザガイドを提供することとを含む。
【００２６】
これらの実施形態の以下の詳細な説明を読むことにより、他のおよびさらなる態様ならびに特徴が明らかになろう。
【００２７】
上記のおよび他の特徴ならびに利点は、添付の図面を参照とする例示の実施形態の以下の詳細な説明により当業者に容易に明らかになろう。
【図面の簡単な説明】
【００２８】
【図１】図１は、例示の装置を模式的に示す。
【図２】図２は、例示の装置を模式的に示す。
【図３】図３は、例示の通信インターフェースを模式的に示す。
【図４】図４は、例示の通信インターフェースを模式的に示す。
【図５】図５は、例示の通信インターフェースを模式的に示す。
【図６】図６は、例示の通信の図である。
【図７】図７は、例示の通信の図である。
【図８】図８は、例示の通信の図である。
【図９】図９は、例示のユーザガイドの構成の図である。
【図１０】図１０は、例示のユーザガイドの構成の図である。
【図１１】図１１は、例示の方法のフロー図である。
【発明を実施するための形態】
【００２９】
以下、図面を参照として様々な実施形態を説明する。同様の参照数字は全体を通じて同様の要素を指す。したがって、同様の要素は、各図面の説明に関連しては詳細に説明されない。また、これらの図面は実施形態の説明を容易にすることを意図されるにすぎない点に留意されたい。これらの図面は、特許請求の範囲に記載された発明の網羅的な説明として意図されたものでも、また特許請求の範囲に記載された発明の範囲を限定するものとして意図されたものでもない。さらに、説明される実施形態は、図示する態様または利点の全てを有する必要はない。ある特定の実施形態と組み合わされて説明されるある態様または利点が、その実施形態に必ずしも限定されるとは限らず、図示されない場合であってもまたは明記されない場合であっても任意の他の実施形態において実施可能である。
【００３０】
同一の参照符号は、全体を通じて同一または対応する部分に対して使用される。
【００３１】
補聴器ユーザガイドを提供するための装置が提供される。この装置は、補聴器フィッティング装置、あるいはスマートフォンまたはタブレットコンピュータなどの携帯端末であってもよい。したがって、装置は、携帯端末および補聴器フィッティング装置からなる群より選択され得る。ユーザガイドを構成および提供するように構成されたフィッティング装置は、ユーザガイドのサイズが必要情報レベル要件を前提として最適化（可能な限り小さく）され、さらにはそれによりユーザガイドが転送される携帯端末上のメモリ要求が最小限に抑えられるために、有利となり得る。
【００３２】
装置は、通信インターフェースと、通信インターフェースに接続された処理ユニットとを備える。処理ユニットは、補聴器の補聴器設定および／または補聴器パラメータを決定および／または調整するように構成され得る。通信インターフェースは、ユーザインターフェースおよび／または装置インターフェースを備えてもよい。ユーザインターフェースは、タッチスクリーンおよび／またはディスプレイを備えてもよい。例えば装置インターフェースなどの通信インターフェースは、ネットワークインターフェースカード、Ｗｉ−Ｆｉ送受信機、Ｂｌｕｅｔｏｏｔｈ送受信機、およびＢｌｕｅｔｏｏｔｈ  Ｌａｗ  Ｅｎｅｒｇｙ送受信機の群から選択される送受信機ユニットまたは複数の送受信機ユニットを備えてもよい。通信インターフェースは、補聴器に補聴器パラメータを転送するように構成されてもよい。
【００３３】
装置は、フィッティング装置であってもよく、および／またはユーザインターフェースは、補聴器パラメータを設定するためのキーボードおよび／またはポインタ装置を備えてもよい。
【００３４】
装置は、例えば通信インターフェース（装置インターフェース）を介して補聴器と通信するように構成され得る。例えば、装置は、通信インターフェースを介して補聴器への補聴器通信リンクを確立するように構成され得る。補聴器通信リンクは、ＢｌｕｅｔｏｏｔｈリンクもしくはＢｌｕｅｔｏｏｔｈ  Ｌａｗ  Ｅｎｅｒｇｙリンク、または特定の補聴器通信プロトコルもしくは装置と補聴器との間の通信を可能にする他のプロトコルに従ったリンクであってもよい。したがって、補聴器通信リンクは、ＢｌｕｅｔｏｏｔｈリンクおよびＢｌｕｅｔｏｏｔｈ  Ｌａｗ  Ｅｎｅｒｇｙリンクから構成される群より選択され得る。
【００３５】
処理ユニットは、通信インターフェースを介して、補聴器の例えば第１の補聴器設定を含む少なくとも１つの補聴器設定を取得するように構成される。
【００３６】
処理ユニットは、少なくとも１つの補聴器設定に基づいてユーザガイドを構成するように構成される。少なくとも１つの補聴器設定は、例えば補聴器モデルを示す第１の補聴器設定を含んでもよい。
【００３７】
少なくとも１つの補聴器設定は、補聴器の第１のモードが使用可能であるかまたは使用不能であるかを示す第１のモードインジケータを含む１つまたは複数のモードインジケータを含んでもよい。モードインジケータは、モードの特徴を示してもよい。１つまたは複数のモードインジケータは、補聴器の第２のモードが使用可能であるかまたは使用不能であるかを示す第２のモードインジケータを含んでもよい。補聴器のモードは、補聴器のプログラムの機能を示すものであってもよい。例えば、モードは、テレコイルが補聴装置に含まれ、補聴装置がテレコイル信号を受信するように構成されるテレコイルモードであってもよい。例示のおよび非限定的なモードは、ＤＡＩ（Direct Audio Input）モード、ワイヤレス通信モード、およびＮＦＣ（Near Field Communication）モードを含む。さらに、モードは、カクテルパーティー処理、無指向性処理、指向性処理、１対１対話処理、またはその他の処理などの、異なる環境または状況において補聴器で実施される特定の信号処理を示してもよい。
【００３８】
この装置および／または方法において、少なくとも１つの補聴器設定は、第１の付属装置が使用可能であるかまたは使用不能であるかを示す第１の付属装置インジケータを含む１つまたは複数の付属装置インジケータを含んでもよい。付属装置インジケータは、タイプ、モデル、通信プロトコルなどの付属装置の特徴を示してもよい。付属装置は、携帯端末、スパウスマイクロフォン、音声送信ユニット、または補聴器のユーザが入手可能な他の付属装置であってもよい。
【００３９】
この装置および／または方法において、少なくとも１つの補聴器設定は、補聴器の補聴器ユーザインターフェースの機能を示すユーザインターフェースインジケータを含んでもよい。ユーザインターフェースインジケータは、ユーザインターフェースのタイプおよび／または機能などの補聴器ユーザインターフェースの特徴を示してもよい。これは、例えば押しボタンがフィッティングに応じて種々の機能へ設定され得る場合、したがってユーザへの誤った情報伝達を回避させ、補聴器の意図されない使用のリスクを軽減させる場合に、有利となり得る。
【００４０】
この装置および／または方法において、少なくとも１つの補聴器設定は、タイプおよび／またはサイズなどのバッテリ情報を含んでもよい。この装置および／または方法において、少なくとも１つの補聴器設定に基づいてユーザガイドを構成することは、バッテリ情報に基づいてユーザガイドのバッテリ部分を適合化することを含んでもよい。
【００４１】
この装置および／または方法において、少なくとも１つの補聴器設定に基づいてユーザガイドを構成することは、第１の補聴器設定が第１の補聴器モデルを示す場合に第１の補聴器の写真を含むことと、第１の補聴器設定が例えば第１の補聴器モデルとは異なる第２の補聴器モデルを示す場合に第２の補聴器の写真を含むこととを含んでもよい。
【００４２】
この装置および／または方法において、少なくとも１つの補聴器設定に基づいてユーザガイドを構成することは、第１のモードインジケータが第１のモードが使用可能であることを示す場合に、ユーザガイドに第１のモード部分を含めることを含んでもよい。第１のモード部分は、例えば第１のモードをどのように使用するかを説明するなど、第１のモードに関する情報を含んでもよい。
【００４３】
この装置および／または方法において、少なくとも１つの補聴器設定に基づいてユーザガイドを構成することは、第１のモードインジケータが第１のモードが使用不能であることを示す場合に、ベーシックユーザガイドの第１のモード部分を除外することを含んでもよい。
【００４４】
この装置および／または方法において、少なくとも１つの補聴器設定に基づいてユーザガイドを構成することは、第１の付属装置インジケータが第１の付属装置が使用可能であることを示す場合に、ユーザガイドに第１の付属部分を含めることを含んでもよい。
【００４５】
この装置および／または方法において、少なくとも１つの補聴器設定に基づいてユーザガイドを構成することは、第１の付属装置インジケータが第１の付属装置が使用不能であることを示す場合に、ベーシックユーザガイドの第１の付属部分を除外することを含んでもよい。
【００４６】
ユーザガイドの各部分の除外は、ユーザガイドが更新されるべき場合、または、全てのコンテンツを含むベーシックユーザガイドが、例えば初期ユーザガイド構成で使用される場合に有利となり得る。更新される状況では、ベーシックユーザガイドが、現行のユーザガイドとなり得る。
【００４７】
この装置および／または方法において、補聴器パラメータに基づいてユーザガイドを構成することは、ユーザインターフェースインジケータが補聴器ユーザインターフェースの第１の機能を示す場合に、第１の機能の第１の説明を含むことと、ユーザインターフェースインジケータが補聴器ユーザインターフェースの第２の機能を示す場合に、第２の機能の第２の説明を含むこととを含んでもよい。第１の機能は、第２の機能とは異なってもよい。
【００４８】
処理ユニットは、ユーザガイドを提供するように構成される。装置は、フィッティング装置であってもよく、ユーザガイドを提供することは、通信インターフェースを介して携帯端末またはサーバにユーザガイドを送信することを含んでもよい。
【００４９】
装置は、携帯端末であってもよく、ユーザガイドを提供することは、装置のメモリにユーザガイドを格納することを含んでもよい。装置が携帯端末である場合に、装置（携帯端末）は、例えばユーザの要求時に携帯端末のディスプレイにユーザガイドを提示するように構成されてもよい。
【００５０】
装置は、携帯端末であってもよく、少なくとも１つの補聴器設定を取得することは、通信インターフェースを介して補聴器および／またはサーバから少なくとも１つの補聴器設定を取得することを含んでもよい。少なくとも１つの補聴器設定に基づいてユーザガイドを構成することは、装置（携帯端末）がサーバからベーシックユーザガイドなどのユーザガイドおよび／またはユーザガイドの一部を要求することを含んでもよい。代替的にまたは組み合わせて、装置（携帯端末）は、ユーザガイドの構成前にサーバからユーザガイド部分および／またはベーシックユーザガイドをダウンロードしていてもよい。
【００５１】
装置は、ウェブサーバおよび／またはデータベースサーバなどのサーバであってもよく、ユーザガイドを提供することは、通信インターフェースを介して携帯端末および／またはフィッティング装置にユーザガイドを送信することを含んでもよい。
【００５２】
ユーザガイドは、テキスト、写真、および映像クリップを含んでもよく、またはその中の１つまたは複数の組合せを含んでもよい。ユーザガイドは、単一のファイルか、または個別ファイルの集合体であってもよい。ユーザガイドは、サーバ上のコンテンツへのハイパーリンクの集合体であってもよい。
【００５３】
処理ユニットは、例えばある特定の頻度にて、ユーザが要求した時に、および／または例えば補聴器の製造業者または補聴器ディスペンサなどから更新の要求があった時に、ユーザガイドを再構成するように構成され得る。
【００５４】
この方法は、例えばある特定の頻度にて、ユーザが要求した時に、および／または例えば補聴器の製造業者または補聴器ディスペンサなどから更新の要求があった時に、ユーザガイドを再構成することを含んでもよい。ユーザガイドを再構成することは、ユーザガイドの更新部分を取得することを含んでもよい。
【００５５】
図１は、補聴器ユーザガイド１２を提供するための例示の装置２を模式的に示す。装置２は、携帯端末、補聴器フィッティング装置、あるいは例えばウェブサーバおよび／またはデータベースサーバなどのサーバであってもよい。
【００５６】
装置２は、通信インターフェース４、４’、４’’と、通信インターフェース４、４’、４’’に接続された処理ユニット６とを備える。処理ユニットは、通信インターフェース４、４’、４’’を介して少なくとも１つの補聴器設定１０などの補聴器設定１０を取得するように構成される。処理ユニット６は、さらに、少なくとも１つの補聴器設定１０に基づいてユーザガイド１２を構成および提供するように構成される。ユーザガイド１２は、テキスト、グラフィック表示、写真、および／または映像クリップなどの補聴器の情報をユーザに提供し得る。
【００５７】
少なくとも１つの補聴器設定１０は、例えば補聴器モデルを示す第１の補聴器設定を含んでもよい。したがって、ユーザガイド１２を構成することは、第１の補聴器設定によって示される補聴器モデルに対応する写真を含むことを含んでもよい。したがって、ユーザガイド１２を構成することは、第１の補聴器設定が第１の補聴器を示す場合に、第１の補聴器の写真を含むことを含んでもよく、および／またはユーザガイド１２を構成することは、第１の補聴器設定が第２の補聴器を示す場合に、第２の補聴器の写真を含むことを含んでもよい。
【００５８】
少なくとも１つの補聴器設定１０は、例えば補聴器の第１のモードが使用可能であるかまたは使用不能であることを示す第１のモードインジケータを含んでもよい。したがって、ユーザガイド１２を構成することは、第１のモードインジケータに従ってユーザガイドを適合化することを含んでもよい。したがって、ユーザガイド１２を構成することは、第１のモードインジケータが第１のモードが使用可能であることを示す場合に、ユーザガイドに第１のモード部分を含めることを含んでもよく、および／またはユーザガイド１２を構成することは、第１のモードインジケータが第１のモードが使用不能であることを示す場合に、例えばベーシックユーザガイドから除外するなど、ユーザガイドの第１のモード部分を除外することを含んでもよい。
【００５９】
少なくとも１つの補聴器設定１０は、例えば第１の付属装置が使用可能であるかまたは使用不能であるかを示す第１の付属装置インジケータを含んでもよい。したがって、ユーザガイド１２を構成することは、第１の付属装置インジケータに従ってユーザガイド１２を適合化することを含んでもよい。したがって、ユーザガイド１２を構成することは、第１の付属装置インジケータが第１の付属装置が使用可能であることを示す場合に、ユーザガイドに第１の付属部分を含めることを含んでもよく、および／またはユーザガイド１２を構成することは、第１の付属装置インジケータが第１の付属装置が使用不能であることを示す場合に、例えばベーシックユーザガイドから除外するなど、ユーザガイドの第１の付属部分を除外することを含んでもよい。
【００６０】
少なくとも１つの補聴器設定１０は、例えば補聴器ユーザインターフェースの機能を示すユーザインターフェースインジケータを含んでもよい。したがって、ユーザガイド１２を構成することは、ユーザインターフェースインジケータに従ってユーザガイド１２を適合化することを含んでもよい。したがって、ユーザガイド１２を構成することは、ユーザインターフェースインジケータが補聴器ユーザインターフェースの第１の機能を示す場合に、ユーザガイドに第１の機能の第１の説明を含めることを含んでもよく、および／またはユーザガイド１２を構成することは、ユーザインターフェースインジケータが補聴器ユーザインターフェースの第２の機能を示す場合に、ユーザガイドに第２の機能の第２の説明を含めることを含んでもよい。
【００６１】
少なくとも１つの補聴器設定１０は、例えばバッテリのタイプおよび／またはモデル番号などのバッテリ情報を含んでもよい。したがって、ユーザガイド１２を構成することは、バッテリ情報に従ってユーザガイド１２を適合化することを含んでもよい。したがって、ユーザガイド１２を構成することは、バッテリ情報に基づいてユーザガイド１２のバッテリ部分および／またはベーシックユーザガイドを適合化することを含んでもよい。
【００６２】
図２は、補聴器ユーザガイド１２、１２’を提供するための例示の装置２’を模式的に示す。装置２’は、携帯端末、補聴器フィッティング装置、または例えばウェブサーバおよび／またはデータベースサーバなどのサーバであってもよい。
【００６３】
装置２’は、通信インターフェース４、４’、４’’と、通信インターフェース４、４’、４’’に接続された処理ユニット６とを備える。処理ユニットは、通信インターフェース４、４’、４’’を介して少なくとも１つの補聴器設定１０などの補聴器設定１０を取得するように構成される。さらに、処理ユニット６は、少なくとも１つの補聴器設定１０に基づいてユーザガイド１２、１２’を構成および提供するように構成される。
【００６４】
さらに、装置２’は、メモリ８を備える。処理ユニット６は、メモリ８にユーザガイド１２’を提供するおよび／または通信ユニット４、４’、４’’にユーザガイド１２を提供するように構成される。
【００６５】
図３は、装置２（図１）および／または装置２’（図２）の通信インターフェース４などの例示の通信インターフェース４を模式的に示す。
【００６６】
通信インターフェース４は、スマートフォン、タブレットコンピュータ、および／またはラップトップなどの携帯端末１０４と通信し得る送受信機１４を備える。例えば、送受信機１４は、Ｂｌｕｅｔｏｏｔｈ送受信機、Ｗｉ−Ｆｉ送受信機、ＵＳＢポート、インターネット接続、および／またはローカルエリアネットワーク接続を含んでもよい。
【００６７】
通信インターフェース４は、補聴器１０２と通信し得る補聴器インターフェース１６を備える。補聴器インターフェース１６は、ある特定の補聴器通信プロトコルか、または装置と補聴器との間の通信を使用可能にする他のプロトコルに従って補聴器とのリンクを実現し得る。例えば、補聴器インターフェースは、Ｂｌｕｅｔｏｏｔｈ送受信機、Ｂｌｕｅｔｏｏｔｈ  Ｌａｗ  Ｅｎｅｒｇｙ送受信機、Ｗｉ−Ｆｉ送受信機、ＵＳＢポート、ＮＦＣ送受信機を備えてもよい。
【００６８】
代替的な通信インターフェース（図示せず）では、送受信機１４および補聴器インターフェース１６は、同一のインターフェースであってもよく、すなわち補聴器１０２および携帯端末１０４は、例えばワイヤレス送受信機などの同一のユニットを使用して通信インターフェースと通信してもよい。
【００６９】
通信インターフェース４は、補聴器インターフェース１６を介して補聴器１０２から補聴器設定を取得することにより少なくとも１つの補聴器設定１０を提供してもよい。
【００７０】
通信インターフェース４は、送受信機１４を介して携帯端末１０４にユーザガイド１２を提供してもよい。
【００７１】
図４は、装置２（図１）および／または装置２’（図２）の通信インターフェース４’などの例示の通信インターフェース４’を模式的に示す。
【００７２】
通信インターフェース４’は、送受信機１４を備える。送受信機１４は、ウェブサーバおよび／またはデータベースサーバなどのサーバ１０６と通信するように構成されてもよく、および／または送受信機１４は、補聴器フィッティング装置１０８と通信するように構成されてもよい。例えば、送受信機１４は、Ｂｌｕｅｔｏｏｔｈ送受信機、Ｗｉ−Ｆｉ送受信機、ＵＳＢポート、インターネット接続、および／またはローカルエリアネットワーク接続を含んでもよい。
【００７３】
通信インターフェース４’は、ディスプレイ１８およびユーザ入力ユニット２６などのユーザインターフェースユニットを備える。通信インターフェース４’は、ディスプレイ１８によってユーザにユーザガイド１２を提示するように構成されてもよい。
【００７４】
通信インターフェース４’は、送受信機１４を介してサーバ１０６および／または補聴器フィッティング装置１０８から少なくとも１つの補聴器設定１０を受信してもよい。代替的にまたは追加的に、通信インターフェース４’は、ユーザ入力ユニット２６を介してユーザ入力２８から少なくとも１つの補聴器設定１０’を受信してもよい。
【００７５】
ディスプレイ１８およびユーザ入力ユニット２６は組み合わされてもよく、例えば通信インターフェース４’はタッチディスプレイを備えてもよく、タッチディスプレイはディスプレイ１８およびユーザ入力ユニット２６を備える。
【００７６】
図５は、装置２（図１）および／または装置２’（図２）の通信インターフェース４’’などの例示の通信インターフェース４’’を模式的に示す。
【００７７】
通信インターフェース４’’は送受信機１４を備える。送受信機１４は、スマートフォン、タブレットコンピュータ、および／またはラップトップなどの携帯端末１０４と通信するように構成されてもよい。例えば、送受信機１４は、Ｂｌｕｅｔｏｏｔｈ送受信機、Ｗｉ−Ｆｉ送受信機、ＵＳＢポート、インターネット接続、および／またはローカルエリアネットワーク接続を含んでもよい。
【００７８】
通信インターフェース４’’は、送受信機１４を介して携帯端末１０４から少なくとも１つの補聴器設定１０を受信する。通信インターフェースは、送受信機１４を介して携帯端末１０４にユーザガイド１２を提供してもよい。
【００７９】
例えば、通信インターフェース４’’は、装置の通信インターフェース４’’であってもよく、装置は、ウェブサーバおよび／またはデータベースサーバなどのサーバである。したがって、装置の処理ユニットは、通信デバイス４’’の送受信機１４を介して少なくとも１つの補聴器設定を取得するように構成され得る。さらに、処理ユニットは、少なくとも１つの補聴器設定１０に基づいてユーザガイド１２を構成するように構成される。さらに、処理ユニットは、通信装置４’’の送受信機１４を介して携帯端末１０４にユーザガイド１２を提供するように構成される。
【００８０】
図６は、携帯端末１０４と、サーバ１０６と、任意選択的に補聴器１０２と、の間の例示の通信を示す図である。
【００８１】
携帯端末１０４は、スマートフォン、タブレットコンピュータ、および／またはラップトップであってもよい。
【００８２】
サーバ１０６は、ウェブサーバおよび／またはデータベースサーバであってもよい。
【００８３】
サーバ１０６は、携帯端末１０４から少なくとも１つの補聴器設定を取得し、サーバは、少なくとも１つの補聴器設定に基づいてユーザガイドを構成し、サーバは、携帯端末１０４にユーザガイドを提供する。携帯端末は、ユーザ入力から少なくとも１つの補聴器設定を取得してもよく、または代替的にまたは追加的に、携帯端末は、例えば少なくとも１つの補聴器設定のＢｌｕｅｔｏｏｔｈ送信またはＮＦＣ送信を介するなどして、補聴器１０２から少なくとも１つの補聴器設定を取得してもよい。
【００８４】
代替的には、携帯端末１０４は、例えば少なくとも１つの補聴器設定のブルートゥース送信もしくはＮＦＣ送信を介するなどして、補聴器１０２から、または、ユーザインターフェースを介して、ユーザ入力（図示せず）から、のいずれかから少なくとも１つの補聴器設定を取得する。携帯端末１０４は、少なくとも１つの補聴器設定に基づいてユーザガイドを構成し、携帯端末は、例えば携帯端末１０４のメモリにおよび／または携帯端末１０４のディスプレイにユーザガイドを提供する。ユーザガイドの構成に際し、携帯端末１０４は、サーバ１０６からベーシックユーザガイドなどのユーザガイドおよび／またはユーザガイドの一部を要求してもよい。代替的には、携帯端末１０４は、ユーザガイドの構成前にサーバ１０６からユーザガイド部分および／またはベーシックユーザガイドをダウンロードしていてもよい。
【００８５】
図７は、携帯端末１０４と、補聴器１０２と、補聴器フィッティング装置１０８との間の例示の通信を示す図である。
【００８６】
補聴器フィッティング装置１０８は、補聴器１０２からおよび／またはユーザ入力（図示せず）から少なくとも１つの補聴器設定を取得する。補聴器フィッティング装置１０８は、少なくとも１つの補聴器設定に基づいてユーザガイドを構成し、補聴器フィッティング装置１０８は、携帯端末１０４にユーザガイドを提供する。
【００８７】
図８は、補聴器１０２と、携帯端末１０４と、サーバ１０６と、補聴器フィッティング装置１０８との間の例示の通信を示す図である。
【００８８】
補聴器１０２は、補聴器フィッティング装置１０８と通信し得る。例えば、補聴器フィッティング１０８は、補聴器１０２から少なくとも１つの補聴器設定を取得してもよい。補聴器フィッティング装置１０８は、少なくとも１つの補聴器設定に基づいてユーザガイドを構成し得る。補聴器フィッティング装置１０８は、携帯端末１０４にユーザガイドを提供し得る。
【００８９】
携帯端末１０４は、補聴器フィッティング装置１０８および／またはサーバ１０６と通信し得る。例えば、携帯端末１０４は、補聴器フィッティング装置１０８からユーザガイドを受信してもよい。代替的には、携帯端末１０４は、補聴器フィッティング装置１０８から少なくとも１つの補聴器設定を取得してもよく、携帯端末１０４は、少なくとも１つの補聴器設定に基づいてユーザガイドを構成してもよい。携帯端末は、携帯端末１０４のメモリにおよび／または携帯端末１０４のディスプレイにユーザガイドを提供し得る。携帯端末１０４は、サーバ１０６からベーシックユーザガイドなどのユーザガイドおよび／またはユーザガイドの一部を要求し得る。
【００９０】
サーバ１０６は、補聴器フィッティング装置１０８および／または携帯端末１０４と通信し得る。例えば、サーバ１０６は、補聴器フィッティング装置１０８から少なくとも１つの補聴器設定を取得してもよい。代替的には、サーバ１０６は、携帯端末１０４から少なくとも１つの補聴器設定を取得してもよい。サーバ１０６は、少なくとも１つの補聴器設定に基づいてユーザガイドを構成してもよい。サーバ１０６は、携帯端末１０４にユーザガイドを提供してもよい。
【００９１】
図９は、ベーシックユーザガイド２００’が提供される場合の、例示のユーザガイド２００の構成を示す図である。ベーシックユーザガイド２００’は、第１のモード部分２０２、第２のモード部分２０４、第１の付属部分２０６、第２の付属部分２０８、第１の説明２１０、第２の説明２１２、およびバッテリ部分２１４を含む複数のユーザガイド部分を含む。
【００９２】
ユーザガイド２００の構成において、第２のモード部分２０４および第１の説明２１０は、少なくとも１つの補聴器設定に基づいてベーシックユーザガイド２００’から除外され、バッテリ部分２１４は、少なくとも１つの補聴器設定のバッテリ情報に基づいてバッテリ部分２１４’に適合化される。したがって、ユーザガイド２００は、第１のモード部分２０２、第１の付属部分２０６、第２の付属部分２０８、第２の説明２１２、および適合化されたバッテリ部分２１４’を含む。
【００９３】
複数のユーザガイド部分は、サーバ上のコンテンツへのハイパーリンクであってもよい。
【００９４】
図１０は、複数のユーザガイド部分２０１が提供される場合の、例示のユーザガイド２００の構成を示す図である。複数のユーザガイド部分２０１は、第１のモード部分２０２、第２のモード部分２０４、第１の付属部分２０６、第２の付属部分２０８、第１の説明２１０、第２の説明２１２、およびバッテリ部分２１４を含む。
【００９５】
ユーザガイド２００の構成において、第１のモード部分２０２、第１の付属部分２０６、第２の付属部分２０８、および第２の説明２１２は、少なくとも１つの補聴器設定に基づいてユーザガイドに含まれる。バッテリ部分２１４は、少なくとも１つの補聴器設定のバッテリ情報に従ってバッテリ部分２１４’に適合化され、含まれる。したがって、ユーザガイド２００は、第１のモード部分２０２、第１の付属部分２０６、第２の付属部分２０８、第２の説明２１２、および適合化されたバッテリ部分２１４’を含む。
【００９６】
複数のユーザガイド部分２０１は、サーバ上のコンテンツへのハイパーリンクであってもよい。
【００９７】
ユーザガイド２００は、先述の図面に関連して説明したユーザガイド１２または１２’であってもよい。
【００９８】
図１１は、例えば通信インターフェースと通信インターフェースに接続された処理ユニットとを備える装置によって補聴器用のユーザガイドを構成するための例示の方法３００のフロー図である。方法３００は、例えばユーザインターフェースを介して補聴器ディスペンサおよび／または補聴器ユーザから、および／または装置に接続された補聴器からなど、少なくとも１つの補聴器設定を取得すること３０２を含む。さらに、この方法３００は、少なくとも１つの補聴器設定に基づいてユーザガイドを構成すること３０４を含み、次いでこの方法は、例えば携帯端末などにユーザガイドを提供すること３０６に進む。
【００９９】
３０２で取得された少なくとも１つの補聴器設定は、例えば補聴器モデルを示す第１の補聴器設定を含んでもよい。したがって、ユーザガイドの構成３０４は、第１の補聴器設定により示される補聴器モデルに対応する写真を含むことを含んでもよい。したがって、ユーザガイドの構成３０４は、第１の補聴器設定が第１の補聴器を示す場合に、第１の補聴器の写真を含むことを含んでもよく、および／またはユーザガイドの構成３０４は、第１の補聴器設定が第２の補聴器を示す場合に、第２の補聴器の写真を含むことを含んでもよい。
【０１００】
３０２で取得された少なくとも１つの補聴器設定は、例えば補聴器の第１のモードが使用可能であるかまたは使用不能であるかを示す第１のモードインジケータを含んでもよい。したがって、ユーザガイドの構成３０４は、第１のモードインジケータに従ってユーザガイドを適合化することを含んでもよい。したがって、ユーザガイドの構成３０４は、第１のモードインジケータが第１のモードが使用可能であることを示す場合に、ユーザガイドに第１のモード部分を含めることを含んでもよく、および／またはユーザガイドの構成３０４は、第１のモードインジケータが第１のモードが使用不能であることを示す場合に、例えばベーシックユーザガイドから除外するなど、ユーザガイドの第１のモード部分を除外することを含んでもよい。
【０１０１】
３０２で取得された少なくとも１つの補聴器設定は、例えば第１の付属装置が使用可能であるかまたは使用不能であるかを示す第１の付属装置インジケータを含んでもよい。したがって、ユーザガイドの構成３０４は、第１の付属装置インジケータに従ってユーザガイドを適合化することを含んでもよい。したがって、ユーザガイドの構成３０４は、第１の付属装置インジケータが第１の付属装置が使用可能であることを示す場合に、ユーザガイドに第１の付属部分を含めることを含んでもよく、および／またはユーザガイドの構成３０４は、第１の付属装置インジケータが第１の付属装置が使用不能であることを示す場合に、例えばベーシックユーザガイドから除外するなど、ユーザガイドの第１の付属部分を除外することを含んでもよい。
【０１０２】
３０２で取得された少なくとも１つの補聴器設定は、例えば補聴器ユーザインターフェースの機能を示すユーザインターフェースインジケータを含んでもよい。したがって、ユーザガイドの構成３０４は、ユーザインターフェースインジケータに従ってユーザガイドを適合化することを含んでもよい。したがって、ユーザガイドの構成３０４は、ユーザインターフェースインジケータが補聴器ユーザインターフェースの第１の機能を示す場合に、ユーザガイドに第１の機能の第１の説明を含めることを含んでもよく、および／またはユーザガイドの構成３０４は、ユーザインターフェースインジケータが補聴器ユーザインターフェースの第２の機能を示す場合に、ユーザガイドに第２の機能の第２の説明を含めることを含んでもよい。
【０１０３】
３０２で取得された少なくとも１つの補聴器設定は、例えばバッテリのタイプおよび／またはモデル番号などのバッテリ情報を含んでもよい。したがって、ユーザガイドの構成３０４は、バッテリ情報に従ってユーザガイドを適合化することを含んでもよい。したがって、ユーザガイドの構成３０４は、バッテリ情報に基づいてユーザガイドおよび／またはベーシックユーザガイドのバッテリ部分を適合化することを含んでもよい。
【０１０４】
また、以下の項目のいずれかによる装置および方法が開示される。
【０１０５】
項目１．      補聴器ユーザガイドを提供するための装置であって、通信インターフェースと、通信インターフェースに接続された処理ユニットとを備え、処理ユニットが、
通信インターフェースを介して補聴器の少なくとも１つの補聴器設定を取得し、
少なくとも１つの補聴器設定に基づいてユーザガイドを構成し、
ユーザガイドを提供する、
ように構成される、装置。
項目２．      装置は、携帯端末および補聴器フィッティング装置からなる群より選択される、項目１に記載の装置。
項目３．      通信インターフェースは、ネットワークインターフェースカード、Ｗｉ−Ｆｉ送受信機、Ｂｌｕｅｔｏｏｔｈ送受信機、およびＢｌｕｅｔｏｏｔｈ  Ｌａｗ  Ｅｎｅｒｇｙ送受信機からなる群より選択される送受信機ユニットを備える、項目１または２に記載の装置。
項目４．      装置は、フィッティング装置であり、ユーザガイドを提供することは、通信インターフェースを介して携帯端末にユーザガイドを送信することを含む、項目２に記載の装置。
項目５．      装置は、携帯端末であり、ユーザガイドを提供することは、装置のメモリにユーザガイドを格納することを含む、項目２に記載の装置。
項目６．      装置は、携帯端末であり、通信インターフェースは、ディスプレイを備え、携帯端末は、ディスプレイにユーザガイドを提示するように構成される、項目２または５に記載の装置。
項目７．      少なくとも１つの補聴器設定は、補聴器モデルを示す第１の補聴器設定を含む、項目１から６のいずれかに記載の装置。
項目８．      少なくとも１つの補聴器設定に基づいてユーザガイドを構成することは、第１の補聴器設定が第１の補聴器モデルを示す場合に、第１の補聴器の写真を含むことと、第１の補聴器設定が第２の補聴器モデルを示す場合に、第２の補聴器の写真を含むこととを含む、項目７に記載の装置。
項目９．      少なくとも１つの補聴器設定は、補聴器の第１のモードが使用可能であるかまたは使用不能であるかを示す第１のモードインジケータを含む１つまたは複数のモードインジケータを含む、項目１から８のいずれかに記載の装置。
項目１０．      少なくとも１つの補聴器設定に基づいてユーザガイドを構成することは、第１のモードインジケータが第１のモードが使用可能であることを示す場合に、ユーザガイドに第１のモード部分を含めることを含む、項目９に記載の装置。
項目１１．      少なくとも１つの補聴器設定に基づいてユーザガイドを構成することは、第１のモードインジケータが第１のモードが使用不能であることを示す場合に、ベーシックユーザガイドの第１のモード部分を除外することを含む、項目９または１０に記載の装置。
項目１２．      少なくとも１つの補聴器設定は、第１の付属装置が使用可能であるかまたは使用不能であるかを示す第１の付属装置インジケータを含む１つまたは複数の付属装置インジケータを含む、項目１から１１のいずれかに記載の装置。
項目１３．      少なくとも１つの補聴器設定に基づいてユーザガイドを構成することは、第１の付属装置インジケータが第１の付属装置が使用可能であることを示す場合に、ユーザガイドに第１の付属部分を含めることを含む、項目１２に記載の装置。
項目１４．      少なくとも１つの補聴器設定に基づいてユーザガイドを構成することは、第１の付属装置インジケータが第１の付属装置が使用不能であることを示す場合に、ベーシックユーザガイドの第１の付属部分を除外することを含む、項目１２または１３に記載の装置。
項目１５．      少なくとも１つの補聴器設定は、補聴器の補聴器ユーザインターフェースの機能を示すユーザインターフェースインジケータを含む、項目１から１４のいずれかに記載の装置。
項目１６．      補聴器パラメータに基づいてユーザガイドを構成することは、ユーザインターフェースインジケータが補聴器ユーザインターフェースの第１の機能を示す場合に、第１の機能の第１の説明を含めることと、ユーザインターフェースインジケータが補聴器ユーザインターフェースの第２の機能を示す場合に、第２の機能の第２の説明を含めることとを含む、項目１５に記載の装置。
項目１７．      少なくとも１つの補聴器設定は、バッテリ情報を含み、少なくとも１つの補聴器設定に基づいてユーザガイドを構成することは、バッテリ情報に基づいてユーザガイドのバッテリ部分を適合化することを含む、項目１から１６のいずれかに記載の装置。
項目１８．      補聴器用のユーザガイドを構成するための方法であって、
少なくとも１つの補聴器設定を取得することと、
少なくとも１つの補聴器設定に基づいてユーザガイドを構成することと、
ユーザガイドを提供することと、
を含む、方法。
【０１０６】
いくつかの特徴が示され説明されたが、これらは特許請求の範囲に記載された発明を限定するように意図されない点を理解されたい。また、特許請求の範囲に記載された発明の主旨および範囲から逸脱することなく様々な変形および変更がなし得る点が当業者には明らかになろう。したがって、本明細書および図面は、限定的な意味ではなく例示的な意味で考慮されたい。特許請求の範囲に記載された発明は、全ての代替形態、変更形態、および均等形態を含むように意図される。
【符号の説明】
【０１０７】
２、２’  装置
４、４’、４’’：通信インターフェース
６：処理ユニット
８：メモリ
１０、１０’：補聴器設定
１２、１２’：ユーザガイド
１４：送受信機
１６：補聴器インターフェース（デバイスインターフェース）
１８：ディスプレイ（ユーザインターフェース）
２６：ユーザ入力ユニット（ユーザインターフェース）
２８：ユーザ入力
１０２：補聴器
１０４：携帯端末
１０６：サーバ
１０８：補聴器フィッティング装置
２００：ユーザガイド
２００’：ベーシックユーザガイド
２０１：複数のユーザガイド部分
２０２：第１のモード部分
２０４：第２のモード部分
２０６：第１の付属部分
２０８：第２の付属部分
２１０：第１の説明
２１２：第２の説明
２１４、２１４’：バッテリ部分
３０２：少なくとも１つの補聴器設定の取得
３０４：ユーザガイドの構成
３０６：ユーザガイドの供給
【図１】
2016052129.tif 000003
【図２】
2016052129.tif 000004
【図３】
2016052129.tif 000005
【図４】
2016052129.tif 000006
【図５】
2016052129.tif 000007
【図６】
2016052129.tif 000008
【図７】
2016052129.tif 000009
【図８】
2016052129.tif 000010
【図９】
2016052129.tif 000011
【図１０】
2016052129.tif 000012
【図１１】
2016052129.tif 000013
【外国語明細書】
2016052129000001.pdf
2016052129000002.pdf
2016052129000003.pdf
2016052129000004.pdf